(57)【要約】【課題】販売登録と収容体への収容を同時に実現できるとともに、不正な商品の持ち出しを防止できる読取装置を提供する。【解決手段】実施形態によれば、読取装置は、シールド体と、アンテナと、リーダ・ライタと、ロック機構と、制御部と、を備える。シールド体は、上部が開口する箱状に構成され、収容体を配置する、電波を遮断する。アンテナは、前記シールド体に設けられ、前記開口を通過する商品に設けられたＲＦＩＤタグから情報を受信する。リーダ・ライタは、前記アンテナに接続され、前記アンテナで受信した前記情報から前記商品の情報を読み取る。ロック機構は、前記収容体の移動をロックする。制御部は、前記ＲＦＩＤタグの情報から販売登録及び前記商品の会計処理を行うとともに、前記販売登録及び前記商品の会計処理中に、前記収容体の移動をロックする。【選択図】      図１
2019028981.tif 000002
【特許請求の範囲】
【請求項１】
上部が開口する箱状に構成され、収容体を配置する、電波を遮断するシールド体と、
前記シールド体に設けられ、前記開口を通過する商品に設けられたＲＦＩＤタグから情報を受信するアンテナと、
前記アンテナに接続され、前記アンテナで受信した前記情報から前記商品の情報を読み取るリーダ・ライタと、
前記収容体の移動をロックするロック機構と、
前記ＲＦＩＤタグの情報から販売登録及び前記商品の会計処理を行うとともに、前記販売登録及び前記商品の会計処理中に、前記ロック機構を制御して、前記収容体の移動をロックする制御部と、
を備える読取装置。
【請求項２】
前記制御部は、前記ロック機構を制御して、前記販売登録を開始するときに前記収容体の移動をロックし、前記会計処理後に、前記収容体の移動のロックを解除する、請求項１に記載の読取装置。
【請求項３】
前記収容体は、前記商品を収容する袋体であり、
前記袋体を前記シールド体に配置して吊り下げる袋掛けハンガーを備え、
前記ロック機構は、前記ハンガーに設けられ、前記ハンガーに吊り下げられた前記袋体の移動をロックする、
請求項１又は請求項２に記載の読取装置。
【請求項４】
前記シールド体は、側壁の一部が前記収容体を通過可能、且つ、前記収容体の通過を規制可能に開閉し、
前記ロック機構は、前記シールド体の前記側壁が閉じた状態で前記側壁をロックする、請求項１に記載の読取装置。
【請求項５】
前記収容体は、前記商品を収容する収容ケースである、請求項４に記載の読取装置。
【発明の詳細な説明】
【技術分野】
【０００１】
本発明の実施形態は、読取装置に関する。
【背景技術】
【０００２】
従来から、各商品に付されたＲＦＩＤタグから商品情報を読み取り、商品情報に基づいて販売登録及び会計処理を行う読取装置が知られている。例えば、平板状アンテナを埋設したチェックアウトカウンタの上面に、商品或いは商品を収納した買物カゴを載置することで、商品情報を一括して読み取る装置が提案されている。
【０００３】
近年は、購入する商品の販売登録及び会計処理を客自身が行うために、セルフチェックアウト装置、セルフＰＯＳ（Point of Sales）装置及びセルフレジ装置と呼ばれる、読取装置を設置し、客が商品の販売登録及び会計処理を行う販売形態を採用する店舗も知られている。このため、客自身が販売登録及び会計処理を行う場合においても、商品にＲＦＩＤタグを設け、複数のＲＦＩＤタグを、アンテナを介してＲＦＩＤリーダ・ライタで読み取る読取装置も考えられる。
【０００４】
しかしながら、このような読取装置においては、会計処理の完了後に、買い物カゴを装置から取り出し、その後、買い物カゴから商品を取り出して、レジ袋やカゴ等の収容体に詰め替える作業が必要となる。また、客がセルフで行う読取装置の場合には、会計処理の完了前に、商品を収容した収容体が持ち去られる等、商品の不正な持ち出しを防止できることが求められる。
【先行技術文献】
【特許文献】
【０００５】
【特許文献１】特開２０１５−２０７１１８号公報
【発明の概要】
【発明が解決しようとする課題】
【０００６】
そこで、本発明が解決しようとする課題は、販売登録と収容体への収容を同時に実現できるとともに、不正な商品の持ち出しを防止できる、ＲＦＩＤタグを読み取る読取装置を提供することである。
【課題を解決するための手段】
【０００７】
実施形態よれば、読取装置は、シールド体と、アンテナと、リーダ・ライタと、ロック機構と、制御部と、を備える。シールド体は、上部が開口する箱状に構成され、収容体を配置する、電波を遮断する。アンテナは、前記シールド体に設けられ、前記開口を通過する商品に設けられたＲＦＩＤタグから情報を受信する。リーダ・ライタは、前記アンテナに接続され、前記アンテナで受信した前記情報から前記商品の情報を読み取る。ロック機構は、前記収容体の移動をロックする。制御部は、前記ＲＦＩＤタグの情報から販売登録及び前記商品の会計処理を行うとともに、前記販売登録及び前記商品の会計処理中に、前記ロック機構を制御して、前記収容体の移動をロックする。
【図面の簡単な説明】
【０００８】
【図１】第１の実施形態に係る読取装置の構成を示す斜視図。
【図２】同読取装置の構成を示すブロック図。
【図３】同読取装置のロック機構の構成を示す側面図。
【図４】同読取装置のロック機構の構成を示す側面図。
【図５】同読取装置の使用方法を示すフロー図。
【図６】第２の実施形態に係る読取装置の構成を示す斜視図。
【図７】第３の実施形態に係る読取装置の構成を示す斜視図。
【図８】第４の実施形態に係る読取装置の構成を示す斜視図。
【図９】第５の実施形態に係る読取装置の構成を示す斜視図。
【図１０】第６の実施形態に係る読取装置の構成を示す斜視図。
【発明を実施するための形態】
【０００９】
（第１の実施形態）
以下、第１の実施形態に係る読取装置１ついて、図１乃至図５を用いて説明する。図１は、第１の実施形態に係る読取装置１の構成を示す斜視図である。図２は、読取装置１の構成を示すブロック図である。図３は、読取装置１のロック機構２５の構成を示す側面図である。図４は、読取装置１のロック機構２５の構成を示す側面図である。図５は、読取装置１の使用方法を示すフロー図である。
【００１０】
図１に示すように、読取装置１は、本体１１と、端末機１２と、を備える。読取装置１は、本体１１により商品１００のＲＦＩＤタグ２００を読み取り、端末機１２により読み取ったＲＦＩＤタグ２００の情報に基づいて販売登録及び会計処理を行う。また、読取装置１は、ＲＦＩＤタグ２００を本体１１で読み取るときに、併せて本体１１に設けられた収容体３００にＲＦＩＤタグ２００が設けられた商品１００を収容できる。このような読取装置１は、例えば、客自身が販売登録及び会計処理を行うセルフＰＯＳ（Point of Sales）装置等に用いられる。
【００１１】
ここで商品１００とは、読取装置１をコンビニエンスストア等の店舗に設置する場合には、店舗で販売される物品である。また、この商品１００には、ＲＦＩＤタグ２００が予め取り付けられ、端末機１２と接続される外部機器のマスタ等に、商品１００の情報が記憶されている。
【００１２】
また、ＲＦＩＤタグ２００とは、商品１００の情報が記憶され、読取及び書込み可能に構成されている。ＲＦＩＤタグ２００は、例えば、バッテリを持たないパッシブタグであり、ＵＨＦ帯で動作可能に構成される。
【００１３】
また、収容体３００とは、所謂レジ袋と呼ばれる手提げ部を備える買い物袋や所謂マイバスケットやカゴと呼ばれる収容ケース等である。本実施形態においては、収容体３００は、例えば、手提げ部３０１を有するポリプロピレン製の袋であり、以下収容体３００を袋体３００として説明する。袋体３００は、手提げ部３０１に、一対の孔部３０２を有する。
【００１４】
図１に示すように、本体１１は、シールド体２１と、袋掛けハンガー２２と、アンテナ２３と、固定部２４と、ロック機構２５と、を備える。
【００１５】
シールド体２１は、上部が開口する矩形の箱状に構成される。シールド体２１は、例えば、アンテナ２３から放射される電波、又は、本体１１外においてＲＦＩＤタグ２００から発する電波を遮蔽する。また、シールド体２１は、商品１００及び収容体３００を収容する収容室として機能する。
【００１６】
具体例として、シールド体２１は、４つの矩形板状の側壁３１と、矩形板状の底壁３２と、を有する矩形筒状に構成される。４つの側壁３１は、矩形筒状に一体に組み立てられる。４つの側壁３１は、電波を遮蔽する。また、シールド体２１の一つの側壁３１は、袋掛けハンガー２２が設けられる。
【００１７】
ここで、袋掛けハンガー２２が設けられる側壁３１側を本体１１の背面側とし、当該側壁３１と対向する側壁３１側を本体１１の前面側とし、他の対向する側壁３１側を本体１１の側面側として、以下説明する。また、本体１１の前面側の側壁３１を第１側壁３１１、本体１１の背面側の側壁３１を第２側壁３１２、本体１１の側面側の一対の側壁３１を一対の側壁３１３として、以下説明する。
【００１８】
第２側壁３１２は、他の側壁３１１、３１３よりも高さが高く構成される。第２側壁３１２は、他の側壁３１１、３１３の上端よりも高い位置に袋掛けハンガー２２が設けられるとともに、上面に、固定部２４が一体に設けられる。
【００１９】
第１側壁３１１及び第３側壁３１３の上端並びに第２側壁３１２の内面は、シールド体２１の上部の開口を構成する。ここで、シールド体２１の上部の開口は、袋体３００、商品１００及び商品１００が収容された袋体３００が通過可能な寸法形状を有する。
【００２０】
底壁３２は、４つの側壁３１の下端を閉塞する。底壁３２は、電波を遮蔽可能に構成されていてもよい。
【００２１】
このようなシールド体２１は、例えば、透明の樹脂材料により４つの側壁３１及び底壁３２が構成されるとともに、電波を遮蔽する透明なフィルム等を少なくとも４つの側壁３１に貼付することで構成される。なお、シールド体２１は、例えば、電波をシールドする金属材料で形成されていてもよく、アンテナ２３及びＲＦＩＤタグ２００から発する電波等の特定の周波数を遮蔽するメッシュ状の金属板を用いる構成であってもよい。ただし、シールド体２１は、内部が視認可能に構成されていることが好ましい。
【００２２】
袋掛けハンガー２２は、第２側壁３１２であって、シールド体２１の開口よりも上方に固定される。袋掛けハンガー２２は、例えば、袋体３００の孔部３０２に配置可能な、一方向に長い一対の鉄製の棒体２２ａにより構成される。一対の棒体２２ａは、高さ方向で同じ位置において、袋体３００の一対の孔部３０２に挿入可能である。また、一対の棒体２２ａは、袋体３００の開口が商品１００を挿入可能に十分に開く間隔を開けて第２側壁３１２に配置される。さらに、一対の棒体２２ａは、袋体３００の保持し、そしてシールド体２１の開口から商品１００が収容された袋体３００を取り出すときに、当該作業を妨げることがない長さに適宜設定される。
【００２３】
袋掛けハンガー２２は、袋体３００の孔部３０２に配置されることで、袋体３００を保持する。また、袋掛けハンガー２２は、袋体３００の開口がシールド体２１の開口と同一の高さ位置か、又は、袋体３００の開口がシールド体２１の開口よりも若干上方又は下方となる高さ位置となる位置で袋体３００を保持する。
【００２４】
アンテナ２３は、例えば、シールド体２１の開口であって、且つ、シールド体２１の内面に設けられる。即ち、アンテナ２３は、シールド体２１の開口から袋体３００の開口へ商品１００を移動させるときに、商品１００のＲＦＩＤタグ２００の読み取り及び書き込みが可能な位置に設けられる。例えば、アンテナ２３は、２つ設けられ、一対の第３側壁３１３の上端であって、袋掛けハンガー２２に掛けられた袋体３００の開口位置と同位置又は開口位置よりも上方にそれぞれ設けられる。アンテナ２３は、例えば、矩形板状に形成される平面パッチアンテナである。アンテナ２３は、端末機１２と同軸ケーブル２３ａを介して接続される。アンテナ２３は、シールド体２１の袋体３００の開口及び袋体３００内に向けて電波を放射する。
【００２５】
固定部２４は、端末機１２を配置し、固定する。固定部２４は、例えば、第２側壁３１２の上端に一端に設けられ、第２側壁３１２の主面方向に直交する方向であって、且つ、第１側壁３１１側に延出された板状の部材である。なお、固定部２４は、これに限られず端末機１２を固定可能であれば、他の構成であってもよい。
【００２６】
ロック機構２５は、会計処理の完了前袋体３００が持ち出されることを防止する。ロック機構２５は、例えば、袋掛けハンガー２２に設けられる。具体例として、ロック機構２５は、例えば、袋掛けハンガー２２の一対の棒体２２ａの一方に設けられ、前記棒体２２ａの径方向の幅を、袋体３００の孔部３０２の内径以下、及び、孔部３０２の内径以上の間で可変させる。具体例として、このようなロック機構２５は、アクチュエータ２５ａと、棒体２２ａに対して移動する可動体２５ｂと、アクチュエータ２５ａ及び可動体２５ｂに接続されたリンク機構２５ｃと、を備える。
【００２７】
アクチュエータ２５ａは、リンク機構２５ｃの一部を直線的に移動する。可動体２５ｂは、一方向に長い棒状に構成され、一端が棒体２２ａに回転可能に接続される。可動体２５ｂは、棒体２２ａの一部を構成する。
【００２８】
リンク機構２５ｃは、例えば、アクチュエータ２５ａに接続され、アクチュエータ２５ａにより直線的に移動する第１リンク２５ｃ１と、一端が第１リンク２５ｃ１に、他端が可動体２５ｂの回転中心とは相対する端部側に接続された第２リンク２５ｃ２と、を備える。リンク機構２５ｃは、図３及び図４に示すように、アクチュエータ２５ａにより第１リンク２５ｃ１が直線的に移動することで、第２リンク２５ｃ２が可動体２５ｂを操作し、可動体２５ｂを棒体２２ａに対して回転させる。リンク機構２５ｃは、棒体２２ａに対して離間する方向に可動体２５ｂが回転したときに、可動体２５ｂの先端から棒体２２ａまでの距離が、袋体３００の孔部３０２の内径よりも大きくなる位置まで可動体２５ｂを移動可能に設定される。
【００２９】
端末機１２は、リーダ・ライタ４１と、表示部４２と、操作部４３と、カード読取部４４と、金銭受装置４５と、プリンタ４６と、通信部４７と、記憶部４８と、制御部４９と、を備える。
【００３０】
リーダ・ライタ４１は、アンテナ２３と同軸ケーブル２３ａを介して電気的に接続される。リーダ・ライタ４１は、アンテナ２３を介して、ＲＦＩＤタグ２００の情報を読取る機能、及び、アンテナ２３を介して、ＲＦＩＤタグ２００に情報を書き込む機能を備える。なお、リーダ・ライタ４１は、端末機１２に設けられず、本体１１に設けられ、信号線等を介して制御部４９と接続される構成であってもよい。
【００３１】
表示部４２は、例えば液晶ディスプレイである。表示部４２は、例えば、リーダ・ライタ４１からの情報、記憶部４８の情報、及び、外部端末のマスタ等に格納され、通信部４７を介して提供される商品１００の情報を表示する。例えば、表示部４２は、商品１００に関する情報、決済に関する情報、端末の入力・操作に関する情報を表示する。
【００３２】
操作部４３は、読取装置１の操作者が外部指令等の情報を入力する入力装置である。操作部４３は、例えば、表示部４２に設けられたタッチパネル等である。操作部４３は、入力された情報を制御部４９へ送信する。
【００３３】
カード読取部４４は、例えば、被接触型のＩＣカードを読み取る第１カード読み取り部４４ａや、接触型のＩＣカードや磁気カード等を読み取る第２カード読み取り部４４ｂを有する。カード読取部４４は、読み取ったカードの情報を制御部４９へ送信する。ここで、カードには、例えば、クレジットカード、プリペイドカード、電子マネーの支払いが可能なカード等が含まれる。
【００３４】
金銭受装置４５は、操作者から受け取った金銭を処理する。例えば、金銭受装置４５は、硬貨投入口、硬貨排出口、紙幣投入口及び紙幣排出口を備えるいわゆる自動釣銭機である。金銭受装置４５は、金銭の情報を制御部４９に送信可能に構成される。
【００３５】
プリンタ４６は、決済処理が終了した商品の情報が印刷されたレシートを出力する。プリンタ４６は、レシートを排出するレシート排出口４６ａを有する。
【００３６】
通信部４７は、外部の機器と通信可能に構成される通信インターフェースである。通信部４７は、リーダ・ライタ４１が取得した商品情報を外部に送信するとともに、決済処理に必要な商品情報等を受信する。
【００３７】
記憶部４８は、制御部４９が実行するプログラムや、販売登録の情報、会計処理の情報等を記憶する。記憶部４８は、例えば、プログラム等を記憶する制御プログラム記憶用のＲＯＭ（Read Only Memory）、制御部４９がプログラムを実行する際に一時的に情報を記憶するデータ記憶用のＲＡＭ（Random Access Memory）等を含む。
【００３８】
制御部４９は、例えば、ＣＰＵ（Central Processing Unit）等である。制御部４９は、記憶部４８に記憶したプログラムを実行することにより、各種の制御及び処理機能を実行する。制御部４９は、アクチュエータ２５ａ、リーダ・ライタ４１、表示部４２、操作部４３、カード読取部４４、金銭受装置４５、プリンタ４６、通信部４７及び記憶部４８と、電気的に接続され、各構成を記憶部４８に記憶されたプログラムにより制御する。例えば、制御部４９は、リーダ・ライタ４１を制御することで、アンテナ２３を介してＲＦＩＤタグ２００の情報の読み取り、及び、ＲＦＩＤタグ２００に情報を書き込む。また、制御部４９は、表示部４２、カード読取部４４、金銭受装置４５、及び、通信部４７を制御することで、販売登録及び会計処理を行う。
【００３９】
次に、このような読取装置１の使用方法について、図５のフロー図を用いて説明する。
【００４０】
客等の操作者は、表示部４２に表示されている会計の開始を入力する領域をタッチすることで、操作部４３を操作し、商品１００の販売登録開始の指令を入力する（Ａｃｔ１）。また、操作者は、当該指令を入力するときに、袋掛けハンガー２２に袋体３００を掛け、袋体３００の開口を広げる。なお、例えば、このとき、制御部４９は、表示部４２に、袋掛けハンガー２２に袋体３００を掛けることを表示させてもよい。
【００４１】
制御部４９は、操作部４３から会計開始の指令の情報を受け取ると、アクチュエータ２５ａを駆動し、可動体２５ｂを回転させて、袋体３００を袋掛けハンガー２２に固定する。即ち、袋体３００をロックする（Ａｃｔ２）。次いで、制御部４９は、リーダ・ライタ４１を制御し（Ａｃｔ３）、アンテナ２３から電波を放射し、ＲＦＩＤタグ２００の読み取りを開始する（Ａｃｔ４）。操作者が買い物カゴに収容されている商品１００を袋体３００に移すと、リーダ・ライタ４１は、アンテナ２３を介して、シールド体２１の開口を通過するＲＦＩＤタグ２００に記憶された商品情報を読み取る（Ａｃｔ４のＹＥＳ）。制御部４９は、リーダ・ライタ４１で読み取ったＲＦＩＤタグ２００の情報を、通信部４７を介して外部機器のマスタ等に記憶された商品１００のデータベースに照会し、ＲＦＩＤタグ２００の情報に関連付けられた商品名や金額等の商品１００の情報を受信し、商品１００の情報を表示する（Ａｃｔ５）。加えて、制御部４９は、販売登録を行い、当該情報を記憶部４８に記憶するとともに、リーダ・ライタ４１を制御し、読み取ったＲＦＩＤタグ２００に登録済フラグを書き込む。
【００４２】
ここで、登録済フラグとは、商品が決済されたことを示す情報であり、決済を行わずに誤って店舗から商品が持ち出されることを防止するためのものである。登録済みフラグの有無は、店舗の出入り口に設置されたゲートでＲＦＩＤタグ２００が読み取られ、登録済みフラグが書き込みされていないＲＦＩＤタグ２００である場合には、ブザー等の報知手段により警告が促される。
【００４３】
なお、制御部４９は、ＲＦＩＤタグ２００の読み取りを開始後（Ａｃｔ４）、ＲＦＩＤタグ２００を読み取らない場合（Ａｃｔ４のＮＯ）には、継続してリーダ・ライタ４１を制御する（Ａｃｔ３）。また、制御部４９は、ＲＦＩＤタグ２００の読み取りを開始後（Ａｃｔ４）、ＲＦＩＤタグ２００の読み取りに失敗した場合（Ａｃｔ４のＮＯ）には、例えば、表示部４２に商品１００を袋体３００から取り出し、再度シールド体２１の開口を通すように案内を表示し、継続してリーダ・ライタ４１を制御する（Ａｃｔ３）構成としてもよい。
【００４４】
次に、制御部４９は、操作部４３から販売登録が終了したか否かの確認を行う（Ａｃｔ６）。具体例としては、制御部４９は、表示部４２及び操作部４３を制御し、販売登録終了の指令を入力する表示を行うとともに、当該領域の操作部４３を操作可能とする。購入する商品１００全ての販売登録が終了しておらず、販売登録終了の指令が入力されない場合（Ａｃｔ６のＮＯ）には、制御部４９は、Ａｃｔ３に戻り、再びリーダ・ライタ４１を制御する。操作者は、商品１００の読取り動作が終了した後、買い物カゴから次の商品１００を取り出し、買い物カゴに収容されている全ての商品１００を袋体３００に移し、販売登録を行う。
【００４５】
操作者が購入する商品１００全てを袋体３００に収容し、操作部４３を操作すると、制御部４９は、販売登録終了の指令を受信し（Ａｃｔ６のＹＥＳ）、販売登録を完了し、続いて会計処理を開始する（Ａｃｔ７）。具体例として、制御部４９は、リーダ・ライタ４１を停止し、表示部４２を制御し、表示部４２に商品１００の名称や総額等の情報及び決済方法を表示するとともに、操作部４３を制御し、決済方法を入力可能とする。また、制御部４９は、操作者が操作部４３を操作して選択した決済方法に基づいて、カード読取部４４又は金銭受装置４５を制御し、カード決済又は現金決済のいずれかにより精算を可能とする（Ａｃｔ８）。
【００４６】
カード決済又は現金決済により精算が終了すると（Ａｃｔ８のＹＥＳ）、制御部４９は、会計処理を完了し（Ａｃｔ９）、表示部４２を制御し、会計処理完了の情報を表示部４２に表示する。なお、このとき、制御部４９は、リーダ・ライタ４１を制御して、ＲＦＩＤタグ２００に登録済フラグを書き込んでもよい。次に、制御部４９は、アクチュエータ２５ａを制御し、可動体２５ｂを棒体２２ａに向かって移動させ、袋体３００のロックを解除する（Ａｃｔ１０）。これにより、商品１００が袋詰めされた袋体３００を持ち出し可能となる。
【００４７】
また、制御部４９は、精算が終了しない場合（Ａｃｔ８のＮＯ）には、表示部４２、操作部４３、カード読取部４４及び金銭受装置４５を制御し、決済方法を選択可能な状態を維持する。
【００４８】
このように構成された読取装置１によれば、商品１００を収容する収容体である袋体３００をシールド体２１に収容し、シールド体２１に電波を遮蔽する機能を持たせ、そして、シールド体２１の上端の開口にアンテナ２３を設けた。この構成により、ＲＦＩＤタグ２００を有する商品１００をシールド体２１内の袋体３００に入れるときに、アンテナ２３によりＲＦＩＤタグ２００が読み取られる。このため、読取装置１は、販売登録を行うと同時に、袋体３００に商品１００を収容することができる。また、読取装置１は、シールド体２１外のＲＦＩＤタグ２００の読み取り及び書き込みを誤って行うことを防止できる。
【００４９】
また、読取装置１は、ロック機構２５により、販売登録及び会計処理中に、袋体３００を持ち出すことを防止するために袋体３００をロックし、会計処理完了後に袋体３００のロックを解除する。これにより、読取装置１は、商品１００を収容した袋体３００の不正な持ち出しを防止できる。
【００５０】
上述した本実施形態に係る読取装置１によれば、販売登録と、収容体３００への収容、即ち袋体３００への袋詰めと、を同時に実現できるとともに、不正な商品の持ち出しを防止できる。
【００５１】
（第２の実施形態）
次に、第２の実施形態に係る読取装置１Ａについて図６を用いて説明する。なお、第２の実施形態に係る読取装置１Ａの構成のうち、上述した第１の実施形態に係る読取装置１と同様の構成には同一符号を付し、その詳細な説明は省略する。
【００５２】
図６に示すように、読取装置１Ａは、本体１１Ａと、端末機１２と、を備える。図６に示すように、本体１１Ａは、シールド体２１Ａと、袋掛けハンガー２２と、アンテナ２３と、固定部２４と、ロック機構２５Ａと、を備える。すなわち、本体１１Ａは、第１の実施形態に係る本体１１と、シールド体２１Ａの構成が異なる。
【００５３】
シールド体２１Ａは、上部が開口する矩形の箱状であって、前面側の第１側壁３１１Ａを開閉可能に構成される。具体例として、シールド体２１Ａは、第１側壁３１１Ａは、一対の側壁部３１１ａ、３１１ａを備える。このような、第１側壁３１１Ａは、所謂観音開き構造を有し、シールド体２１Ａの前面側を開閉する。即ち、シールド体２１Ａは、側壁の一部である第１側壁３１１Ａが開くことで、シールド体２１Ａの前面側から収容体である袋体３００を通過、即ち袋体３００の持ち出し可能とし、そして、第１側壁３１１Ａが閉じることで、袋体３００の通過を規制する。
【００５４】
側壁部３１１ａの幅方向の長さは、一対の第３側壁３１３間の距離の半分の長さに設定される。一対の側壁部３１１ａの一方は、ヒンジ部を介して一方の第３側壁３１３の前面側の端部に回転可能に接続される。一対の側壁部３１１ａの他方は、ヒンジ部を介して他方の第３側壁３１３の前面側の端部に回転可能に接続される。なお、ヒンジ部は、第３側壁３１３に対して側壁部３１１ａを回転可能に保持する機能に加え、一対の側壁部３１１ａを閉じる方向に付勢するスプリングや、側壁部３１１ａの回転速度の緩和や開状態を保持するダンバを有する。
【００５５】
ロック機構２５Ａは、一対の側壁部３１１ａ、３１１ａに設けられ、一対の側壁部３１１ａ、３１１ａの固定及び解除が可能に構成される。即ち、ロック機構２５Ａは、制御部４９により制御され、販売登録及び会計処理中において、一対の側壁部３１１ａ、３１１ａをロックすることで、第１側壁３１１Ａが開くことを防止し、袋体３００が不正に持ち出されることを防止できる。また、ロック機構２５Ａは、制御部４９により制御され、会計処理後に、一対の側壁部３１１ａ、３１１ａのロックが解除されることで、会計処理後に、一対の側壁部３１１ａ、３１１ａを開放し、商品１００が収容された袋体３００を持ち出すことを可能とする。
【００５６】
このように構成された読取装置１Ａによれば、上述した読取装置１と同様に、販売登録と袋体３００への収容、即ち袋詰めを同時に実現できるとともに、不正な商品の持ち出しを防止できる。加えて、読取装置１Ａは、シールド体２１Ａの前面側が開閉できるため、袋体３００を袋掛けハンガー２２に掛ける作業、及び、販売登録及び会計処理後に、商品１００が収容された袋体３００を取り出す作業が容易となり、高い使用性を有する。
（第３の実施形態）
次に、第３の実施形態に係る読取装置１Ｂについて図７を用いて説明する。なお、第３の実施形態に係る読取装置１Ｂの構成のうち、上述した第１の実施形態に係る読取装置１と同様の構成には同一符号を付し、その詳細な説明は省略する。
【００５７】
図７に示すように、読取装置１Ｂは、本体１１Ｂと、端末機１２と、を備える。図７に示すように、本体１１Ｂは、シールド体２１Ｂと、袋掛けハンガー２２と、アンテナ２３と、固定部２４と、ロック機構２５Ｂと、を備える。すなわち、本体１１Ｂは、第１の実施形態に係る本体１１と、シールド体２１Ｂの構成が異なる。
【００５８】
シールド体２１Ｂは、上部が開口する矩形の箱状であって、前面側の第１側壁３１１Ｂを開閉可能に構成される。具体例として、第１側壁３１１Ｂは、ヒンジ部を介して底壁３２の前面側の端部に回転可能に接続される。
【００５９】
なお、ヒンジ部は、底壁３２に対して第１側壁３１１Ｂを回転可能に保持する機能に加え、第１側壁３１１Ｂを閉じる方向に付勢するスプリングや、第１側壁３１１Ｂの回転速度の緩和や開状態を保持するダンバを有する。
【００６０】
ロック機構２５Ｂは、第１側壁３１１Ｂ及び一方の第３側壁３１３の固定及び解除が可能に構成される。即ち、ロック機構２５Ｂは、制御部４９により制御され、販売登録及び会計処理中において、第１側壁３１１Ｂ及び一方の第３側壁３１３をロックすることで、第１側壁３１１Ｂが開くことを防止し、袋体３００が不正に持ち出されることを防止できる。また、ロック機構２５Ｂは、制御部４９により制御され、会計処理後に、第１側壁３１１Ｂ及び一方の第３側壁３１３のロックが解除されることで、会計処理後に、第１側壁３１１Ｂを開放し、商品１００が収容された袋体３００を持ち出すことを可能とする。
【００６１】
このように構成された読取装置１Ｂによれば、上述した読取装置１、１Ａと同様に、販売登録と袋体３００への収容、即ち袋詰めを同時に実現できるとともに、不正な商品の持ち出しを防止できる。加えて、読取装置１Ａは、シールド体２１Ａの前面側が開閉できるため、袋体３００を袋掛けハンガー２２に掛ける作業、及び、販売登録及び会計処理後に、商品１００が収容された袋体３００を取り出す作業が容易となり、高い使用性を有する。
（第４の実施形態）
次に、第４の実施形態に係る読取装置１Ｃについて図８を用いて説明する。なお、第４の実施形態に係る読取装置１Ｃの構成のうち、上述した第１の実施形態に係る読取装置１と同様の構成には同一符号を付し、その詳細な説明は省略する。
【００６２】
図８に示すように、読取装置１Ｃは、本体１１Ｃと、端末機１２と、を備える。図８に示すように、本体１１Ｃは、シールド体２１と、袋掛けハンガー２２と、３つのアンテナ２３と、固定部２４と、ロック機構２５と、を備える。すなわち、本体１１Ｃは、第１の実施形態に係る本体１１と、アンテナ２３の数が異なる。
【００６３】
本体１１Ｃのアンテナ２３は、３つ設けられ、このうち２つのアンテナ２３は、本体１１の一対のアンテナ２３と同様に、シールド体２１の上端に設けられる。また、残り１つのアンテナ２３は、底壁３２に設けられる。なお、底壁３２に設けられるアンテナ２３には、底壁３２から上方の広範囲に渡ってＲＦＩＤタグ２００を読み取り可能に、底壁３２上を水平方向に走査可能な構成であっても良い。
【００６４】
このように構成された読取装置１Ｂによれば、上述した読取装置１と同様に、販売登録と袋体３００への収容、即ち袋詰めを同時に実現できるとともに、不正な商品の持ち出しを防止できる。加えて、アンテナ２３を底壁３２にも設けたことにより、シールド体２１内におけるＲＦＩＤタグ２００の読取りエラーの発生を低減することができる。
（第５の実施形態）
次に、第５の実施形態に係る読取装置１Ｄについて図９を用いて説明する。なお、第５の実施形態に係る読取装置１Ｄの構成のうち、上述した第１の実施形態に係る読取装置１と同様の構成には同一符号を付し、その詳細な説明は省略する。
【００６５】
図９に示すように、読取装置１Ｄは、本体１１Ｄと、端末機１２と、を備える。図９に示すように、本体１１Ｄは、シールド体２１と、袋掛けハンガー２２と、アンテナ２３と、固定部２４と、ロック機構２５と、緩衝材２６と、を備える。すなわち、本体１１Ｄは、第１の実施形態に係る本体１１と、緩衝材２６を備える点において構成が異なる。
【００６６】
緩衝材２６は、底壁３２の上面に設けられる。緩衝材２６は、底壁３２の上面を覆い、商品１００を袋体３００に袋詰めするときに、商品１００が底壁３２に衝突したときの衝撃を吸収する。
【００６７】
このように構成された読取装置１Ｄによれば、上述した読取装置１と同様に、販売登録と袋体３００への収容、即ち袋詰めを同時に実現できるとともに、不正な商品の持ち出しを防止できる。加えて、緩衝材２６を底壁３２に設けたことにより、操作者が商品１００を誤って、底壁３２に落下させた場合であっても、緩衝材２６により、商品１００が破損することを防止することができる。
（第６の実施形態）
次に、第６の実施形態に係る読取装置１Ｅについて図１０を用いて説明する。なお、第６の実施形態に係る読取装置１Ｅの構成のうち、上述した第１の実施形態に係る読取装置１と同様の構成には同一符号を付し、その詳細な説明は省略する。
図１０に示すように、読取装置１Ｅは、本体１１Ｅと、端末機１２と、を備える。図１０に示すように、本体１１Ｅは、シールド体２１Ｅと、アンテナ２３と、固定部２４と、ロック機構２５Ｂと、を備える。すなわち、本体１１Ｅは、第１の実施形態に係る本体１１と、袋掛けハンガー２２を備えていない点において構成が異なる。
【００６８】
シールド体２１Ｅは、第１側壁３１１Ｂ、第２側壁３１２及び一対の第３側壁３１３を備え、上部が開口する矩形の箱状に構成される。シールド体２１Ｅは、袋掛けハンガー２２が設けられていない。このため、シールド体２１Ｅは、収容体３００としてマイバスケットやカゴと呼ばれる収容ケース３００を取り出し可能な開口を備えている。なお、シールド体２１Ｅは、さらに袋掛けハンガー２２を設ける構成とし、収容ケース３００及び袋体３００を選択的に使用できる構成としてもよい。
【００６９】
このように構成された読取装置１Ｅによれば、上述した読取装置１、１Ｂと同様に、販売登録と収容ケース３００への収容を同時に実現できるとともに、不正な商品の持ち出しを防止できる。加えて、収容ケース３００を取り出し可能な構成とすることにより、袋体３００に限られることなく、操作者の持参している種々の収容体３００を使用することができる。
【００７０】
以上述べた少なくともひとつの実施形態のインク循環装置及びインクジェット記録装置によれば、簡単な構成で小型化が可能となる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１、１Ａ、１Ｂ、１Ｃ、１Ｄ、１Ｅ…読取装置、１１、１１Ａ、１１Ｂ、１１Ｃ、１１Ｄ、１１Ｅ…本体、１２…端末機、２０…タグ、２１、２１Ａ、２１Ｂ、２１Ｅ…シールド体、２２…袋掛けハンガー、２２ａ…棒体、２３…アンテナ、２３ａ…同軸ケーブル、２４…固定部、２５、２５Ａ、２５Ｂ…ロック機構、２５ａ…アクチュエータ、２５ｂ…可動体、２５ｃ…リンク機構、２５ｃ１…第１リンク、２５ｃ２…第２リンク、２６…緩衝材、３１…側壁、３２…底壁、４１…リーダ・ライタ、４２…表示部、４３…操作部、４４…カード読取部、４４ａ…第１カード読み取り部、４４ｂ…第２カード読み取り部、４５…金銭受装置、４６…プリンタ、４６ａ…レシート排出口、４７…通信部、４８…記憶部、４９…制御部、１００…商品、２００…タグ、３００…収容体（袋体、収容ケース）、３０１…手提げ部、３０２…孔部、３１１、３１１Ａ、３１１Ｂ…第１側壁、３１１ａ…側壁部、３１２…第２側壁、３１３…第３側壁。
【図１】
2019028981.tif 000003
【図２】
2019028981.tif 000004
【図３】
2019028981.tif 000005
【図４】
2019028981.tif 000006
【図５】
2019028981.tif 000007
【図６】
2019028981.tif 000008
【図７】
2019028981.tif 000009
【図８】
2019028981.tif 000010
【図９】
2019028981.tif 000011
【図１０】
2019028981.tif 000012